(57)【要約】【課題】  主電源への給電が停止されている状態での主電源電力の消耗を抑制する。【解決手段】  アクセサリスイッチのオフ状態への切り換えに伴って所定のシャットダウン処理を行うシャットダウン処理手段２９を備えた電子機器４を搭載してある車両用の給電構造において、主電源３からの給電により充電される補助電源５と、電子機器４に対する給電状態の切り換えを制御する制御手段３０とを備え、アクセサリスイッチがオフ状態に切り換えられると、制御手段３０の制御作動によって、そのオフ状態への切り換えから所定時間ｔ３の間は、主電源３および補助電源５から電子機器４への給電が行われ、その所定時間ｔ３の経過後に、補助電源５から電子機器４への給電が停止されるように構成してある。【選択図】        図９
2008222122.tif 000002
【特許請求の範囲】
【請求項１】
アクセサリスイッチのオフ状態への切り換えに伴って所定のシャットダウン処理を行うシャットダウン処理手段を備えた電子機器を搭載してある車両用の給電構造であって、
主電源からの給電により充電される補助電源と、前記電子機器に対する給電状態の切り換えを制御する制御手段とを備え、
前記アクセサリスイッチがオフ状態に切り換えられると、前記制御手段の制御作動によって、そのオフ状態への切り換えから所定時間の間は、前記主電源および前記補助電源から前記電子機器への給電が行われ、その所定時間の経過後に、前記補助電源から前記電子機器への給電が停止されるように構成してあることを特徴とする車両用の給電構造。
【請求項２】
前記制御手段に、前記主電源から前記電子機器への給電を制限する制限回路を備え、
前記制御手段の制御作動によって、前記所定時間の経過後には、前記制限回路を介した前記主電源から前記電子機器への給電が行われるように構成してあることを特徴とする請求項１に記載の車両用の給電構造。
【発明の詳細な説明】
【技術分野】
【０００１】
本発明は、アクセサリスイッチのオフ状態への切り換えに伴って所定のシャットダウン処理を行うシャットダウン処理手段を備えた電子機器を搭載してある車両用の給電構造に関する。
【背景技術】
【０００２】
シャットダウン処理手段を備えた電子機器としては、ナビゲーション装置やオーディオ機器などがある。その一例であるナビゲーション装置においては、例えば、人為設定された目標地点や走行経路に基づく道案内動作中に、休憩などの停車によってアクセサリスイッチがオフ状態に切り換えられた場合、その停車後にアクセサリスイッチが再びオン状態に切り換えられる走行再開時に停車前の動作状態を再現できるように、アクセサリスイッチのオフ状態への切り換えに伴って、シャットダウン処理手段が、走行再開時に必要な目標地点や走行経路などの各種の設定情報をデータ保存用の記憶手段に保存する、などの処理をシャットダウン処理として行う。
【０００３】
ちなみに、データ保存用の記憶手段としては、メモリバックアップ用の電力を要するＳＲＡＭやメモリバックアップ用の電力が不要なＥＥＰＲＯＭなどがある。
【０００４】
そして、このような電子機器を搭載した車両用の給電構造としては、主電源からの給電によって充電されることにより電子機器に対する印加電圧を最低駆動補償電圧に補償する副電源（キャパシタ）を備えたアイドルストップ機能付きの車両において、キーオフ時（アクセサリスイッチがオフのとき）には、主電源（バッテリ）から電子機器に給電し、かつ、副電源（キャパシタ）から電子機器への給電を停止することにより、キーオフ時における副電源の放電を防止するように構成したものがある（例えば特許文献１参照）。
【特許文献１】特開２００４−２５１２３４号公報（段落番号００２３、００３２、図１、３）
【発明の開示】
【発明が解決しようとする課題】
【０００５】
上記の構成によると、アクセサリスイッチのオフ状態（キーオンからキーオフ）への切り換えに伴って行われる電子機器のシャットダウン処理に要する電力の全てが、主電源からの給電によって賄われることになる。つまり、アクセサリスイッチのオフ状態が、車載の発電機から主電源への給電が停止されている状態であるにもかかわらず、電子機器のシャットダウン処理によって主電源の電力が消費されるようになっており、主電源電力の消耗を抑制する上において改善の余地がある。
【０００６】
本発明の目的は、主電源への給電が停止されている状態での主電源電力の消耗を抑制することにある。
【課題を解決するための手段】
【０００７】
上記の目的を達成するため、本発明のうちの請求項１に記載の発明では、
アクセサリスイッチのオフ状態への切り換えに伴って所定のシャットダウン処理を行うシャットダウン処理手段を備えた電子機器を搭載してある車両用の給電構造において、
主電源からの給電により充電される補助電源と、前記電子機器に対する給電状態の切り換えを制御する制御手段とを備え、
前記アクセサリスイッチがオフ状態に切り換えられると、前記制御手段の制御作動によって、そのオフ状態への切り換えから所定時間の間は、前記主電源および前記補助電源から前記電子機器への給電が行われ、その所定時間の経過後に、前記補助電源から前記電子機器への給電が停止されるように構成してあることを特徴とする。
【０００８】
この特徴構成によると、アクセサリスイッチのオフ状態への切り換えに伴って行われる電子機器のシャットダウン処理に要する電力は、主電源および補助電源からの給電によって賄われることになる。これにより、電子機器のシャットダウン処理によって消費される主電源の電力量が減少する。
【０００９】
ところで、電子機器のシャットダウン処理によって消費される主電源の電力量を減少させる上においては、電子機器のシャットダウン処理に要する電力の全てを、補助電源からの給電のみで賄うことも考えられる。しかしながら、この場合には、電子機器のシャットダウン処理時に消費される補助電源の電力量が多くなるために、補助電源の本来の機能が著しく低下する虞がある。
【００１０】
例えば、補助電源がデータ保存用のバックアップ電源として装備されたものである場合には、電子機器のシャットダウン処理による消費電力量が多くなると、それに伴って、バックアップ電源として機能する時間が短くなることから、主電源から補助電源への給電が再開されるまでの間において、補助電源が完放電してデータが消失される可能性が高くなる。
【００１１】
また、補助電源が、アイドルストップ機能を備えた車両において、電子機器に対する印加電圧を最低駆動補償電圧に補償する補償電源として装備されたものである場合には、電子機器のシャットダウン処理による消費電力量が多くなると、シャットダウン処理時の電力消費によって、補助電源の電力量が、補償電源として機能し得る電力量から大幅に低下することになる。そのため、補助電源の電力量が、主電源からの給電により補償電源として機能し得る電力量に回復するまでに要する時間が長くなり、その間、アイドルストップ機能を働かせることができなくなる。
【００１２】
そこで、本発明では、電子機器のシャットダウン処理に要する電力の供給を、補助電源からだけでなく主電源からも行い、また、補助電源から電子機器への給電時間を所定時間の間に制限するようにしているのであり、これによって、電子機器のシャットダウン処理による補助電源の電力消費が抑制されることになる。
【００１３】
その結果、補助電源が、例えばバックアップ電源として装備されたものである場合には、バックアップ電源として機能する時間が長くなることから、主電源から補助電源への給電が再開されるまでの間において、補助電源が完放電してデータが消失される可能性が低くなる。
【００１４】
また、補助電源が、例えば補償電源として装備されたものである場合には、シャットダウン処理後の補助電源の電力量が、主電源からの給電によって補償電源として機能し得る電力量に回復するまでに要する時間が短くなることから、アイドルストップ機能を早期のうちに働かせることができるようになる。
【００１５】
従って、補助電源の電力を適切に有効利用することによって、主電源への給電が停止されている状態での主電源電力の消耗を抑制することができるとともに、その利用による補助電源の本来機能の低下を抑制することができる。
【００１６】
本発明のうちの請求項２に記載の発明では、上記請求項１に記載の発明において、
前記制御手段に、前記主電源から前記電子機器への給電を制限する制限回路を備え、
前記制御手段の制御作動によって、前記所定時間の経過後には、前記制限回路を介した前記主電源から前記電子機器への給電が行われるように構成してあることを特徴とする。
【００１７】
この特徴構成によると、電子機器として、そのシャットダウン処理後に計時用やメモリバックアップ用の電力を要するものを装備した場合に、電子機器に対する必要最小限の電力が主電源から電子機器に供給されることになる。その結果、電子機器のシャットダウン処理後における主電源の電力消費を抑制することができる。
【００１８】
従って、主電源をメモリバックアップ電源などとして機能させるようにしながら、主電源への給電が停止されている状態での主電源電力の消耗を必要最小限に抑えることができる。
【発明を実施するための最良の形態】
【００１９】
以下、図面を参照しながら、本発明にかかる車両用の給電構造を、アイドルストップ機能を備えた車両の給電システムに適用した場合について説明する。
【００２０】
図１〜５には、アイドルストップ機能を有する車両に備えた給電システムの一部が示されている。この給電システムには、ＣＰＵからなる制御装置１を備えたアイドルストップ制御部２と、車両に搭載されたスタータ（図示せず）などの種々の電子機器に給電する主電源としてのバッテリ３と、種々の電子機器のうちの最低駆動電圧を補償する必要のある電圧補償対象負荷４と、バッテリ３からの給電で充電されることによって補助電源として機能する蓄電素子（例えばキャパシタ）５などを備えた補助電源装置６とが装備されている。そして、この給電システムにおいて、バッテリ３、電圧補償対象負荷４、および補助電源装置６は、それぞれアイドルストップ制御部２を介して接続されている。
【００２１】
図示は省略するが、アイドルストップ制御部２は、エンジン停止用の所定条件が成立した場合にエンジンを停止させ、かつ、エンジン再始動用の所定条件が成立した場合にエンジンを再始動させるアイドルストップ機能を有するように構成されている。
【００２２】
具体的には、アイドルストップ制御部２には、車軸の回転速度を検出する車速センサ、シフトレバーの操作位置を検出するシフトセンサ、および、車輪に作用するブレーキ圧を検出するブレーキセンサ、などからの検出情報が入力されている。そして、アイドルストップ制御部２は、基本的に、車速センサからの検出情報に基づいて、車速が予め設定した所定速度から零速まで低下したことを検知した状態において、シフトセンサからの検出情報に基づいて、変速レバーが中立位置またはドライブ位置に操作されていることを検知し、ブレーキセンサからの検出情報に基づいて、予め設定した所定圧以上のブレーキ圧が車輪に作用していることを検知した場合に、エンジン停止用の所定条件が成立している（車両が走行停止しているアイドリング状態である）と判断し、その判断に基づいて、エンジンが停止されるように点火装置や燃料噴射装置などの作動を制御する。また、そのアイドルストップ機能によるエンジンの自動停止後に、ブレーキセンサからの検出情報に基づいて、車輪に作用しているブレーキ圧が所定圧よりも低下したことを検知した場合に、エンジン再始動用の所定条件が成立している（運転者に車両を動かす意志がある）と判断して、エンジンが再始動されるように点火装置や燃料噴射装置およびスタータなどの作動を制御する。
【００２３】
つまり、このアイドルストップ機能によって、信号待ちや渋滞などによる停車時にエンジン停止用の所定条件が成立した場合には、その成立に伴ってエンジンを自動的に停止させることができ、結果、停車中のアイドリングによる燃料の消費や排気ガスの発生などを抑制することができる。また、エンジンを自動停止させたアイドルストップ状態において、エンジン再始動用の所定条件が成立した場合には、その成立に伴ってエンジンを自動的に再始動させることができ、結果、エンジンの再始動操作に手間取るなどの不都合を招くことなく、車両を簡便に再発進させることができる。
【００２４】
なお、エンジン停止用の所定条件、および、エンジン再始動用の所定条件は種々の変更が可能である。例えば、アクセルペダルの操作量を検出するアクセルセンサや、駐車ブレーキの作動状態を検出する駐車ブレーキセンサ、などからの検出情報をアイドルストップ制御部２に入力し、それらの検出情報を考慮するように構成してもよい。
【００２５】
電圧補償対象負荷４は、車両に搭載された電子機器のうち、オーディオ機器やナビゲーション装置などのように、印加電圧が最低駆動電圧を下回った場合に、その動作をリセットまたは遮断するように構成された電子機器である。スタータは、車両に搭載された電子機器のうち、作動時に大電力を必要とする大電力負荷である。
【００２６】
そのため、単にバッテリ３からの電力を電圧補償対象負荷４とスタータとに供給するように構成すると、電圧補償対象負荷４を作動させた状態で、アイドルストップ機能によるエンジンの再始動が行われた場合に、大電力負荷であるスタータの作動に伴って、図６において破線で示すように、電圧補償対象負荷４に対する印加電圧が最低駆動電圧を下回って、電圧補償対象負荷４の動作がリセットまたは一時的に遮断される不都合を招くことがある。
【００２７】
そこで、図１〜５に示すように、この給電システムには、前述した補助電源装置６とともに、電圧補償対象負荷４に対する給電状態の切り換えを可能にする制御回路７が備えられている。
【００２８】
制御回路７は、アイドルストップ制御部２に備えられており、電圧補償対象負荷４に対する給電ライン８に、バッテリ３への逆流を防止するダイオード９、電圧補償対象負荷４に対する給電状態を切り換える第１半導体スイッチ１０と第２半導体スイッチ１１、および、電圧補償対象負荷４に対する給電を制限する省電力用の制限回路（例えば抵抗器）２８を備え、給電ライン８におけるダイオード９のアノード側を、バッテリ３から補助電源装置６への給電を断続するリレースイッチ１２と第３半導体スイッチ１３とを備えた充電ライン１４を介して、補助電源装置６に対する充放電ライン１５に接続し、給電ライン８におけるダイオード９のカソード側に、補助電源装置６への逆流を防止するダイオード１６を備えた放電ライン１７を介して充放電ライン１５を接続して構成されている。
【００２９】
そして、アクセサリスイッチ（図示せず）がオン状態に切り換えられると、制御装置１の制御作動によって、各半導体スイッチ１０，１１，１３およびリレースイッチ１２の作動が制御されることで、バッテリ３から電圧補償対象負荷４および補助電源装置６に給電する給充電状態（図１および図２参照）、または、補助電源装置６から電圧補償対象負荷４に給電する放電状態（図３参照）に切り換えられる。また、アクセサリスイッチがオフ状態に切り換えられると、制御装置１の制御作動によって、各半導体スイッチ１０，１１，１３およびリレースイッチ１２の作動が制御されることで、バッテリ３および補助電源装置６から電圧補償対象負荷４に給電する給放電状態（図４参照）、または、バッテリ３から省電力用の制限回路２８を介して電圧補償対象負荷４に給電する制限給電状態（図５参照）に切り換わる。
【００３０】
制御装置１は、アクセサリスイッチのオン状態への切り換えによって起動され、その起動とともに、制御回路７が給充電状態に切り換わるように各半導体スイッチ１０，１１，１３およびリレースイッチ１２の作動を制御し（図１および図２参照）、かつ、制御回路７での電圧を監視する。そして、制御回路７での電圧が電圧補償対象負荷４の最低駆動電圧を超えて安定している場合には、制御回路７での電圧が電圧補償対象負荷４の最低駆動電圧を下回る虞がないと判断して、制御回路７が給充電状態に維持されるように各半導体スイッチ１０，１１，１３およびリレースイッチ１２の作動を制御する（図１および図２参照）。また、制御回路７での電圧が急激に降下する場合には、制御回路７での電圧が電圧補償対象負荷４の最低駆動電圧を下回る虞があると判断して、制御回路７が放電状態に切り換わるように各半導体スイッチ１０，１１，１３およびリレースイッチ１２の作動を制御する（図３参照）。
【００３１】
つまり、スタータの作動によって電圧補償対象負荷４に対する印加電圧が最低駆動電圧を下回る虞がある場合には、制御装置１が制御回路７を放電状態（図３参照）に切り換えることで、蓄電素子５に充電した電力を電圧補償対象負荷４に供給することができる。
【００３２】
ところで、上記のように制御回路７を放電状態に切り換えても、蓄電素子５の充電が不十分である場合には、電圧補償対象負荷４に対する印加電圧を最低駆動電圧に補償することができなくなる。
【００３３】
そこで、制御装置１は、補助電源装置６における蓄電素子５の充電量を監視し、その蓄電素子５の充電量が、蓄電素子５からの放電によって電圧補償対象負荷４の最低駆動電圧を補償することが可能な放電可能電圧（ここでは電圧補償対象負荷４の最低駆動電圧とする）に達するまでの間はアイドルストップ機能を停止し、放電可能電圧に達するのに伴ってアイドルストップ機能を働かせるように構成されている。
【００３４】
この構成によって、アイドルストップ機能によってエンジンが再始動される場合には、必ず、蓄電素子５の充電量が放電可能電圧に達していることから、その再始動時において、スタータの作動による電圧降下によって電圧補償対象負荷４に対する印加電圧が最低駆動電圧を下回る虞が生じた場合には、制御回路７の制御作動によって、制御回路７が放電状態（図３参照）に切り換えられ、これにより、電圧補償対象負荷４の最低駆動電圧を補償することが可能な電力が、蓄電素子５から電圧補償対象負荷４に向けて供給されることになる。
【００３５】
その結果、図６において実線で示すように、アイドルストップ機能によるエンジン再始動時のスタータの作動にかかわらず、電圧補償対象負荷４に対する印加電圧を最低駆動電圧以上に補償することができ、そのときのスタータの作動による電圧降下に起因して、電圧補償対象負荷４の動作がリセットまたは一時的に遮断される不都合の発生を防止することができる。
【００３６】
図１〜５に示すように、補助電源装置６には、蓄電素子５の放電によってバッテリ３と蓄電素子５との電位差が大きくなった場合に、バッテリ３から蓄電素子５にわたる充電経路１８での過電流を防止する制限回路（例えば抵抗器）１９が備えられている。
【００３７】
これによって、充電経路１８を形成する上において、充電経路１８に備えられるリレースイッチ１２や第３半導体スイッチ１３、あるいは、バッテリ３からアイドルストップ制御部２にわたるハーネス２０や、アイドルストップ制御部２から補助電源装置６にわたるハーネス２１などに、その過電流に耐え得る耐過電流性の高いものを採用する必要がなくなり、結果、耐過電流性の高いハーネス２０，２１などを採用することによるコストの高騰を招くことなく、それらの過電流に起因した損傷を未然に回避することができる。
【００３８】
ところで、補助電源装置６に過電流防止用の制限回路１９を備えるだけでは、図７の（ロ）に示すように、蓄電素子５の充電量が放電可能電圧に達するまでに要する時間ｔ２が長くなり、それに伴って、アイドルストップ機能の停止時間も長くなることから、停車中のアイドリングによる燃料の消費や排気ガスの発生などを効果的に抑制することが難しくなる。
【００３９】
そこで、図１〜５に示すように、この給電システムには、バッテリ３から蓄電素子５への給電状態を、過電流防止用の制限回路１９を介して行う第１給電状態（図１参照）と、過電流防止用の制限回路１９を迂回して行う第２給電状態（図２参照）とに切り換える切換手段２２が備えられている。切換手段２２は、制御装置１の制御作動に基づいて、アイドルストップ制御部２に備えたリレードライバ２３が、補助電源装置６に備えた常開型のリレースイッチ２４の作動状態を切り換えることで、バッテリ３から蓄電素子５への給電状態を第１給電状態と第２給電状態とに切り換えるように構成されている。
【００４０】
制御装置１は、蓄電素子５の充電量に基づいて切換手段２２の作動を制御することで、バッテリ３から蓄電素子５への給電を制御するように構成されている。
【００４１】
以下、図８のフローチャートに基づいて、制御装置１の制御作動による蓄電素子５に対する給電制御について説明する。
【００４２】
制御装置１は、アクセサリスイッチのオン状態への切り換えによって起動されるとともに、蓄電素子５の充電量が予め設定した所定電圧に達しているか否かを判別する。所定電圧に達していない場合には、切換手段２２のリレースイッチ２４に対する励磁ライン２５への通電を阻止して、リレースイッチ２４をオフ状態に維持することで、切換手段２２を第１給電状態（初期状態）に維持する。つまり、バッテリ３から蓄電素子５に流れる電流が過電流防止用の制限回路１９によって制限されるように蓄電素子５に給電する（図１参照）。所定電圧に達している場合、または、その給電によって所定電圧に達した場合には、蓄電素子５の充電量が放電可能電圧に達しているか否かを判別する。放電可能電圧に達していない場合には、励磁ライン２５への通電を許容して、リレースイッチ２４をオン状態に切り換えることで、切換手段２２を第２給電状態に切り換える。つまり、バッテリ３から蓄電素子５に流れる電流が過電流防止用の制限回路１９によって制限されないように蓄電素子５に給電する（図２参照）。放電可能電圧に達している場合、または、その給電によって放電可能電圧に達した場合には、励磁ライン２５への通電を阻止して、リレースイッチ２４をオフ状態に切り換えることで、切換手段２２を第１給電状態に切り換える（図１参照）。そして、アクセサリスイッチのオフ操作が行われるまで、この給電制御を繰り返すように構成されている。
【００４３】
ちなみに、上記の所定電圧は、バッテリ３から蓄電素子５にわたる充電経路１８に使用するリレースイッチ１２や第３半導体スイッチ１３あるいはハーネス２０，２１などの耐過電流性に基づいて、切換手段２２を第２給電状態に切り換えた際に、それらにおいて過電流を招く虞のない値に設定されている。
【００４４】
この構成によって、蓄電素子５の充電量が所定電圧に達していない場合、つまり、充電経路１８において過電流を招く虞があるほどにバッテリ３と蓄電素子５との電位差が大きい場合には、図１に示すように、バッテリ３から蓄電素子５への給電が、過電流防止用の制限回路１９によって制限された状態で行われることから、充電経路１８での過電流を防止することができる。
【００４５】
また、蓄電素子５の充電量が所定電圧に達している場合、つまり、充電経路１８において過電流を招く虞がない程度にバッテリ３と蓄電素子５との電位差が小さい場合には、図２に示すように、バッテリ３から蓄電素子５への給電が、過電流防止用の制限回路１９によって制限されない状態で行われることから、図７に示すように、蓄電素子５の充電量が放電可能電圧に達するまでに要する充電時間ｔ１〔図７の（イ）参照〕を、蓄電素子５の充電量にかかわらず過電流防止用の制限回路１９を介してバッテリ３から蓄電素子５に給電する場合の充電時間ｔ２〔図７の（ロ）参照〕に比較して短縮することができる。
【００４６】
そして、蓄電素子５の充電時間ｔ１が短縮されることで、アイドルストップ機能の停止時間が短縮されて、アイドルストップ機能を早期に働かせることができるようになり、結果、停車中のアイドリングによる燃料の消費や排気ガスの発生などを効果的に抑制することができる。
【００４７】
制御装置１は、エンジン停止用の所定条件が成立してエンジンを自動停止させたアイドルストップ状態では、図２に示すように、切換手段２２を第２給電状態に切り換えるように構成されている。これにより、エンジン再始動用の所定条件が成立してエンジンを再始動させる場合には、そのときのスタータの作動による電圧降下に基づいて、制御回路７が給充電状態（図２参照）から放電状態（図３参照）に切り換えられるとともに、蓄電素子５から電圧補償対象負荷４への給電が過電流防止用の制限回路１９を迂回した状態で迅速に行われることになる。
【００４８】
ところで、ナビゲーション装置やオーディオ機器などの電圧補償対象負荷（電子機器）４は、アクセサリスイッチのオフ状態への切り換えに伴って所定のシャットダウン処理を行うシャットダウン処理手段２８を備えている。ナビゲーション装置のシャットダウン処理手段２８は、例えば、人為設定された目標地点や走行経路に基づく道案内動作中に、休憩などの停車によってアクセサリスイッチがオフ状態に切り換えられた場合には、その停車後にアクセサリスイッチが再びオン状態に切り換えられる走行再開時に、停車前の動作状態を再現できるように、アクセサリスイッチのオフ状態への切り換えに伴って、走行再開時に必要な目標地点や走行経路などの各種の設定情報をデータ保存用の記憶手段に保存する、などの処理をシャットダウン処理として行うように構成されている。オーディオ機器のシャットダウン処理手段２８は、例えば、楽曲の再生中に、休憩などの停車によってアクセサリスイッチがオフ状態に切り換えられた場合には、その停車後にアクセサリスイッチが再びオン状態に切り換えられる走行再開時に、停車前に再生していた楽曲の頭出し再生が可能となるように、アクセサリスイッチのオフ状態への切り換えに伴って、走行再開時の頭出し再生に必要な各種の情報をデータ保存用の記憶手段に保存する、などの処理をシャットダウン処理として行うように構成されている。
【００４９】
そのため、アクセサリスイッチのオフ状態への切り換えが行われてから、ナビゲーション装置やオーディオ機器などの電圧補償対象負荷４においてシャットダウン処理が行われている間は、車載のオルタネータ（図示せず）による発電が停止されているにもかかわらず、それらの電圧補償対象負荷４にシャットダウン処理用の電力を供給する必要がある。
【００５０】
さらに、ナビゲーション装置やオーディオ機器などの電圧補償対象負荷４は、アクセサリスイッチのオフ状態への切り換え後も、計時機能などを有効な状態に維持するための電力を要するものである。また、シャットダウン処理手段２８を備えた電圧補償対象負荷４には、データ保存用の記憶手段として、バックアップ用の電力を要するＳＲＡＭなどを採用しているものもある。
【００５１】
そのため、電圧補償対象負荷４のシャットダウン処理後においても、車載のオルタネータによる発電が停止されているにもかかわらず、計時用やメモリバックアップ用の電力を、ナビゲーション装置やオーディオ機器などの電圧補償対象負荷４に供給する必要がある。
【００５２】
そこで、図４、図５および図９に示すように、制御装置１は、アクセサリスイッチ（図９ではＡＣＣスイッチと表記）がオフ状態に切り換えられると、そのオフ状態への切り換えから所定時間ｔ３の間は、制御回路７が、バッテリ３および蓄電素子５の双方から電圧補償対象負荷（図９では電子機器と表記）４に給電する給放電状態（図４および図９参照）に切り換わり、その所定時間ｔ３の経過後には、制御回路７が、蓄電素子５から電圧補償対象負荷４への給電を停止し、かつ、バッテリ３から電圧補償対象負荷４への給電を省電力用の制限回路２８を介して行う制限給電状態（図５および図９参照）に切り換わるように、各半導体スイッチ１０，１１，１３およびリレースイッチ１２，２４の作動を制御し、その後、アクセサリスイッチのオン状態への切り換えが行われるまでの間、作動停止するように構成されている。なお、所定時間ｔ３は、電圧補償対象負荷４のシャットダウン処理に要する時間よりも少し長い時間（例えば３分）に設定されている。
【００５３】
この構成から、アクセサリスイッチのオフ状態への切り換えが行われると、そのオフ状態への切り換え後は自然放電によって消費される蓄電素子５の電力が、所定時間ｔ３の間、バッテリ３からの電力とともに、ナビゲーション装置やオーディオ機器などの電圧補償対象負荷４におけるシャットダウン処理用の電力として電圧補償対象負荷４に供給され、その所定時間ｔ３の経過後は、蓄電素子５から電圧補償対象負荷４への給電が停止され、バッテリ３からの電力が、省電力用の制限回路２８によって、計時用やメモリバックアップ用の電力としての必要最小限に制限された状態で電圧補償対象負荷４に供給されることになる。
【００５４】
つまり、アクセサリスイッチのオフ状態への切り換え後は自然放電によって消費される蓄電素子５の電力を、電圧補償対象負荷４のシャットダウン処理用として有効利用することから、そのシャットダウン処理に要する電力の全てをバッテリ３からの電力で賄う場合に比較して、バッテリ３の消耗を抑制することができる。また、シャットダウン処理後のバッテリ３から電圧補償対象負荷４への給電を、省電力用の制限回路２８を介して必要最小限に抑えることから、その給電を省電力用の制限回路２８を介さずに行う場合に比較して、バッテリ３の消耗を抑制することができる。
【００５５】
その結果、車載のオルタネータからバッテリ３への充電が停止されているアクセサリスイッチのオフ状態への切り換え後において、電圧補償対象負荷４への給電によるバッテリ３の消耗を効果的に抑制することができる。
【００５６】
また、アクセサリスイッチのオフ状態への切り換えから所定時間ｔ３の間だけ、蓄電素子５の電力を、バッテリ３からの電力とともに電圧補償対象負荷４に供給し、その所定時間の経過後には、蓄電素子５から電圧補償対象負荷４への給電を停止することから、電圧補償対象負荷４のシャットダウン処理に要する電力の全てを蓄電素子５からの電力で賄う場合や、蓄電素子５から電圧補償対象負荷４への給電を所定時間の経過後も継続して行う場合に比較して、蓄電素子５の消耗を抑制することができる。
【００５７】
このように、アクセサリスイッチのオフ状態における蓄電素子５の消耗を抑制することにより、休憩などの停車によって一時的にアクセサリスイッチがオフ状態に切り換えられた場合には、その停車中における蓄電素子５の自然放電量も少ないことから、その停車後にアクセサリスイッチが再びオン状態に切り換えられる走行再開時には、そのオン状態への切り換えに伴って行われるバッテリ３から蓄電素子５への給電によって、蓄電素子５の電力量を、電圧補償対象負荷４に対する印加電圧を最低駆動電圧に補償し得る電力量まで、比較的に短い時間で回復させることができる。
【００５８】
その結果、アイドルストップ機能を早期のうちに働かせることができ、停車中のアイドリングによる燃料の消費や排気ガスの発生などを効果的に抑制することができる。
【００５９】
そして、本実施形態においては、制御装置１、制御回路７、過電流防止用の制限回路１９、および切換手段２２、によって電圧補償対象負荷（電子機器）４に対する給電状態の切り換えを適切に制御する制御手段３０が構成されている。
【００６０】
図１〜５に示すように、制御装置１は、励磁ライン２５を介して蓄電素子５の充電量を監視するように構成されている。また、励磁ライン２５は、蓄電素子５と過電流防止用の制限回路１９とにわたる充放電ライン２６（蓄電素子５のプラス側）に接続されている。
【００６１】
この構成から、過電流防止用の制限回路１９とハーネス２１とにわたる充放電ライン２７（バッテリ３のプラス側）に励磁ライン２５を接続する場合に比較して、蓄電素子５の充電量を容易に監視することができる。また、アイドルストップ制御部２と補助電源装置６とにわたるハーネス２１のグランドショートや制御装置１の故障などに起因して、励磁ライン２５が不測に通電状態に切り換わったとしても、蓄電素子５が十分に充電されてリレースイッチ２４の作動電圧に達していない限り、切換手段２２が第２給電状態に切り換わらないようになる。その結果、励磁ライン２５を蓄電素子５と過電流防止用の制限回路１９とにわたる充放電ライン２６に接続する場合には、励磁ライン２５が不測に通電状態に切り換わると招く虞のあった充電経路１８での過電流を防止することができ、その過電流に起因したハーネス２０，２１などの損傷を未然に回避することができる。
【００６２】
〔別実施形態〕
【００６３】
〔１〕上記の実施形態では、本発明にかかる車両用の給電構造を、アイドルストップ機能を備えた車両の給電システムに適用した場合について例示したが、本発明は、アクセサリスイッチのオフ状態への切り換えに伴って所定のシャットダウン処理を行うシャットダウン処理手段２９を備えた電子機器を搭載してある車両であれば、アイドルストップ機能を有する車両に限定されることはなく、それ以外の車両にも適用することができる。
【００６４】
〔２〕シャットダウン処理手段２９を備えた電子機器としては、電圧補償対象負荷４に限定されるものではない。また、主電源３からの計時用やメモリバックアップ用の電力の供給が不要に構成されたものであってもよい。
【００６５】
〔３〕上記の実施形態においては、給電システムに過電流防止用の制限回路１９と切換手段２２とを備えることから、電子機器（電圧補償対象負荷４）に対する給電状態の切り換えを適切に制御する制御手段３０として、制御装置１、制御回路７、過電流防止用の制限回路１９、および切換手段２２、によって構成したものを例示したが、過電流防止用の制限回路１９と切換手段２２とを備えない給電システムにおいては、制御手段３０は、制御装置１と制御回路７とから構成されることになる。つまり、制御手段３０の構成は、給電システムの構成に基づいて種々の変更が可能である。
【００６６】
〔４〕アクセサリスイッチのオフ状態への切り換え後に主電源３および補助電源５から電子機器への給電が行われる所定時間ｔ３としては種々の変更が可能であり、例えば、所定時間ｔ３を、電圧補償対象負荷４のシャットダウン処理に要する時間と同じ時間、あるいは、電圧補償対象負荷４のシャットダウン処理に要する時間よりも少し短い時間に設定するようにしてもよい。
【００６７】
〔５〕図１０に示すように、アクセサリスイッチ（図１０ではＡＣＣスイッチと表記）がオフ状態に切り換えられると、制御手段３０の制御作動によって、そのオフ状態への切り換えから所定時間ｔ３の間は、補助電源５から電子機器４への給電と、省電力用の制限回路２８を介した主電源３から電子機器４への給電とが行われ、その所定時間ｔ３の経過後には、補助電源５から電子機器４への給電が停止されて、省電力用の制限回路２８を介した主電源３から電子機器４への給電のみが行われるように構成してもよい。
【００６８】
この構成によると、車載のオルタネータから主電源３への充電が停止されているアクセサリスイッチのオフ状態への切り換え後において、電子機器４への給電による主電源３の消耗をより効果的に抑制することができる。
【００６９】
また、この構成においては、省電力用の制限回路２８を可変式に構成して、アクセサリスイッチのオフ状態への切り換えから所定時間ｔ３の間に、省電力用の制限回路２８を介して主電源３から電子機器４に供給される電力量の調節が可能となるように構成してもよい。
【００７０】
〔６〕アクセサリスイッチがオフ状態に切り換えられると、制御手段３０の制御作動によって、そのオフ状態への切り換えから所定時間ｔ３の間は、主電源３および補助電源５から電子機器４への給電が行われ、その所定時間ｔ３の経過後には、主電源３および補助電源５から電子機器４への給電が停止されるように構成してもよい。
【００７１】
〔７〕補助電源５としては、計時用やメモリバックアップ用の電力を電子機器４に供給するバックアップ電源として機能するものであってもよい。
【図面の簡単な説明】
【００７２】
【図１】蓄電素子への給電を制限する給充電状態を示す電気回路図
【図２】蓄電素子への給電を制限しない給充電状態を示す電気回路図
【図３】放電状態を示す電気回路図
【図４】給放電状態を示す電気回路図
【図５】制限給電状態を示す電気回路図
【図６】スタータ作動時の電圧の変位を示す図
【図７】蓄電素子の充電時間を示す図
【図８】蓄電素子に対する給電制御のフローチャート
【図９】アクセサリスイッチの状態と電子機器に対する電力供給状態との関係を示す図
【図１０】別実施形態でのアクセサリスイッチの状態と電子機器に対する電力供給状態との関係を示す図
【符号の説明】
【００７３】
３    主電源（バッテリ）
４    電子機器（電圧補償対象負荷）
５    補助電源（蓄電素子）
２８  制限回路（省電力用）
２９  シャットダウン処理手段
３０  制御手段
ｔ３  所定時間
【図１】
2008222122.tif 000003
【図２】
2008222122.tif 000004
【図３】
2008222122.tif 000005
【図４】
2008222122.tif 000006
【図５】
2008222122.tif 000007
【図６】
2008222122.tif 000008
【図７】
2008222122.tif 000009
【図８】
2008222122.tif 000010
【図９】
2008222122.tif 000011
【図１０】
2008222122.tif 000012